(57)【要約】【課題】リモコン撮影又はセルフタイマ撮影時に撮影者の作業を軽減することができるカメラを提供する。【解決手段】カメラ１は、フラッシュ７１を発光させる電力を蓄電する蓄電手段７３と、蓄電手段７３の蓄電状態を検出する蓄電状態検出手段７７と、リモコン撮影モード又はセルフタイマ撮影モードに設定されている場合に、蓄電状態検出手段７７によって検出された蓄電状態を表示する表示手段１７と、を備え、表示手段１７は、被写体側の方向から見えるように設置されており、表示手段１７は、蓄電状態以外のカメラの動作状態を表示する機能を更に有することを特徴とする。【選択図】  図４
2004333773.tif 000002
【特許請求の範囲】
【請求項１】
フラッシュを発光させる電力を蓄電する蓄電手段と、
前記蓄電手段の蓄電状態を検出する蓄電状態検出手段と、
リモコン撮影モード又はセルフタイマ撮影モードに設定されている場合に、前記蓄電状態検出手段によって検出された蓄電状態を表示する表示手段と、
を備え、
前記表示手段は、被写体側の方向から見えるように設置されており、且つ、前記蓄電状態以外の動作状態の表示にも用いられるものであることを特徴とするカメラ。
【請求項２】
前記蓄電状態検出手段は、前記蓄電手段の電圧を検出し、
前記表示手段は、検出された前記電圧のレベルを表示することを特徴とする請求項１に記載のカメラ。
【発明の詳細な説明】
【０００１】
【発明の属する技術分野】
本発明はカメラに関する。
【０００２】
【従来の技術】
従来、フラッシュを発光させる電力（以下「フラッシュ電力」という。）を蓄電する蓄電手段の蓄電状態を表示するための表示手段を備えたカメラが知られている（例えば、特許文献１参照。）。
【０００３】
【特許文献１】
特開２００２−２０２５５０号公報
【０００４】
【発明が解決しようとする課題】
写真撮影においてフラッシュを用いる場合には、フラッシュ電力が充分に蓄電された後にレリーズボタンを押す等の適切なカメラの操作が必要であるため、撮影者はフラッシュ電力の蓄電状態を知ることが必要である。リモコン撮影機能又はセルフタイマ撮影機能を備えたカメラにおいて、リモコン撮影又はセルフタイマ撮影を行う場合には被写体自身がカメラの撮影者となる場合が多いため、撮影者は撮影時にはカメラの近傍にはおらず、被写体の位置に居ることが多い。しかしながら、特許文献１のカメラにおいては、フラッシュ電力の蓄電状態を被写体の位置から確認することは考慮されていない。このため、撮影者は一旦カメラ近傍まで近づいて上記蓄電状態を確認するなどの煩雑な作業が必要であった。
【０００５】
そこで、本発明は上記問題点を解決し、リモコン撮影又はセルフタイマ撮影時に撮影者の作業を軽減することができるカメラを提供することを目的とする。
【０００６】
【課題を解決するための手段】
上記問題点を解決するため、本発明のカメラは、フラッシュを発光させる電力を蓄電する蓄電手段と、蓄電手段の蓄電状態を検出する蓄電状態検出手段と、リモコン撮影モード又はセルフタイマ撮影モードに設定されている場合に、蓄電状態検出手段によって検出された蓄電状態を表示する表示手段と、を備え、表示手段は、被写体側の方向から見えるように設置されており、且つ、蓄電状態以外の動作状態の表示にも用いられるものであることを特徴とする。
【０００７】
上記カメラによれば、フラッシュ電力の蓄電状態を表示する表示手段が被写体側の方向から見えるため、リモコン撮影又はセルフタイマ撮影時に撮影者が被写体側に位置する場合にも、その位置から上記充電状態を確認することができる。このため、撮影者は一旦カメラ近傍まで近づく等の煩雑な作業をすることなく適切なカメラの操作が可能となる。また、上記蓄電状態を表示する表示手段は、上記蓄電状態以外の動作状態の表示にも使用されるので、これらの動作状態表示のための部品を一部共通化し、部品点数を最小限に抑えることができる。
【０００８】
また、本発明のカメラは、蓄電状態検出手段が、蓄電手段の電圧を検出し、表示手段が、検出された電圧のレベルを表示することを特徴としてもよい。このようにすれば、撮影者は蓄電状態を蓄電手段の電圧レベルとしてより詳細に確認することができ、電圧レベルに応じてより適切なカメラの操作が可能となる。
【０００９】
【発明の実施の形態】
以下、本発明の実施の形態について説明する。なお、同一要素には同一符号を用い、重複する説明は省略する。
【００１０】
図１は本発明の実施形態に係るカメラ１、及びカメラ１を遠隔操作するリモコン３を示す正面の斜視図である。
【００１１】
カメラ１の正面にはフラッシュ７１を内蔵しフラッシュ７１の光を出射するフラッシュ窓５と、被写体像を銀塩フイルムに結像する撮影レンズ７と、撮影者が被写体を確認するファインダ窓９と、被写体距離を測定するアクティブタイプのＡＦセンサが内蔵されているＡＦ投光窓１１ａ、ＡＦ受光窓１１ｂと、被写体の明るさを測定する測光センサが内蔵されている測光窓１３と、撮影者がシャッタレリーズを指示する際に操作するレリーズボタン１５と、カメラ１の動作状態を表示する表示部１７が設けられている。
【００１２】
表示部１７は、ＬＥＤ１７ａ、１７ｂ、１７ｃを有している。表示部１７はＬＥＤ１７ａ、１７ｂ、１７ｃの発光状態によってカメラ１の動作状態を表示する。表示するカメラ１の動作状態としては、例えば、フラッシュ窓５に内蔵されたフラッシュ７１を発光させる電力の蓄電状態（例えばメインコンデンサの電圧）、セルフタイマ撮影モードにおけるシャッタが切れるまでの残り時間、リモコン撮影モードでレリーズ待機中である状態等が挙げられる。発光状態による表示の方法としては、例えば、各ＬＥＤ１７ａ、１７ｂ、１７ｃの点灯・消灯の組み合わせによる表示や、各ＬＥＤ１７ａ、１７ｂ、１７ｃの点滅周期による表示等が挙げられる。表示部１７は上記のとおりカメラ１の正面に設けられており、被写体側から見えるように配置されている。表示部１７は特許請求の範囲に記載の表示手段を構成する。
【００１３】
図２は本発明の実施形態に係るカメラ１及びリモコン３を示す背面の斜視図である。
【００１４】
カメラ１の背面には、カメラ１の電源のオン・オフの切り替えを行う電源スイッチ１９と、リモコン撮影モード、セルフタイマ撮影モード等の撮影モード切り替えを行う撮影モード設定スイッチ２１と、リモコン撮影、セルフタイマ撮影の設定を行うリモコン／セルフ設定スイッチ２３と、撮影画角をワイド方向に指示するＷＩＤＥスイッチ２７ａ又はテレ方向に指示するＴＥＬＥスイッチ２７ｂと、撮影者が被写体を確認するファインダ接眼窓２９が設けられている。
【００１５】
リモコン３は、カメラ１に所定の処理を行わせるための信号を無線で送信するものである。リモコン３から送信される信号としては、カメラ１にレリーズ動作を行わせるレリーズ信号やカメラ１の電源をオンするパワーオン信号などが挙げられる。
【００１６】
次に、図３を参照してカメラ１について詳しく説明する。図３は、図１、図２に示したカメラ１の構成を示すブロック図である。
【００１７】
図３に示すように、カメラ１には、全体の制御を行うＣＰＵ３１が設けられている。ＣＰＵ３１は、制御・演算処理のためのプログラムを予め記憶しているＲＯＭ３３、及び制御・演算の際に各種データを記憶するＲＡＭ３５が内蔵されている。また、ＣＰＵ３１には、電源回路３７、ＬＣＤ３９、ブザー４１、ＬＥＤ群４３、デート写込部４７、リモコン受信回路４９、フラッシュ回路５１、測光回路５３、ＡＦ回路５５、ＥＥＰＲＯＭ５７、スイッチ群５９、モータードライバー６１、鏡胴駆動部６３、フィルム給送部６５、シャッター駆動部６７、及び時計回路６９が接続されている。
【００１８】
電源回路３７は、電池等からの電力をＣＰＵ３１に供給するためのものである。ＬＣＤ３９は、電池等の残容量（蓄電量）やＣＰＵ３１に計時されている日時を表示するものである。ブザー４１は、信号の送信時に送信したことを示す報知音等を発するものである。
【００１９】
ＬＥＤ群４３は、ＬＥＤ１７ａ、１７ｂ、１７ｃ等を有しており、上述したとおりＬＥＤ１７ａ、１７ｂ、１７ｃの発光状態によって、カメラ１の動作状態を示すものである。ＬＥＤ１７ａ、１７ｂ、１７ｃは上述した表示部１７（図１参照）を構成している。デート写込部４７は、撮影が実施された日時等をフィルムに写し込むためのものである。リモコン受信回路４９は、リモコン３からの遠隔操作信号を受信するものである。
【００２０】
フラッシュ回路５１は、フラッシュ窓５内に内蔵されたフラッシュ７１を有し、ＣＰＵ３１による制御の下、選択されたモード（フラッシュ発光態様等に関するモード）に従ってフラッシュ７１を発光させるものである。
【００２１】
測光回路５３は、被写体光の輝度を検出して、自動露出時の絞り値やシャッタ速度を決定するためのものである。ＡＦ回路５５は、ＡＦ投光窓１１ａおよびＡＦ受光窓１１ｂの中に発光体および受光体それぞれを有し、これら発光体および受光体を用いた三角測距の原理により、ＣＰＵ３１による指示により被写体までの距離を測定し、その測定結果をＣＰＵ３１に送るものである。ＥＥＰＲＯＭ５７は、各時点におけるリモコン３の状態や各種の制御パラメータ等を記憶するものである。
【００２２】
スイッチ群５９は、電源スイッチ１９、撮影モード設定スイッチ２１、リモコン／セルフ設定スイッチ２３、レリーズボタン１５、ＷＩＤＥスイッチ２７ａ及びＴＥＬＥスイッチ２７ｂ等の撮影に関するスイッチを有している（図１、図２参照）。レリーズボタン１５は、カメラ１にレリーズ動作を行わせるためのものである。撮影者は、これを操作することにより撮影を行うことができる。ＷＩＤＥスイッチ２７ａ及びＴＥＬＥスイッチ２７ｂは、ズーミングを行うためのものである。撮影者は、ＷＩＤＥスイッチ２７ａ及びＴＥＬＥスイッチ２７ｂを操作することにより、画角を変えての写真撮影が可能となる。
【００２３】
撮影モード設定スイッチ２１によりカメラ１の撮影モードをリモコン撮影モード、セルフタイマ撮影モードに設定することができる。リモコン撮影モードに設定されているときは、カメラ１はリモコン受信回路４９で受信したリモコン３の遠隔操作信号に従って動作する。セルフタイマ撮影モードに設定されている場合には、カメラ１はレリーズボタン１５が操作された後、所定の時間の経過後にレリーズ動作を行う。
【００２４】
モータードライバー６１は、ＣＰＵ３１からの制御信号を受けて鏡胴駆動部６３、フィルム給送部６５、及びシャッタ駆動部６７に駆動信号を出力するものである。この駆動信号を受けることにより、鏡胴駆動部６３はレンズ鏡胴の繰り出し及び繰り込みの駆動を行い、フィルム給送部６５は装填されているフィルムを順方向または逆方向に給送し、シャッタ駆動部６７はシャッタの開閉駆動を行う。
【００２５】
図４を参照しＣＰＵ３１に接続されたフラッシュ回路５１及びＬＥＤ群４３について更に説明する。図４はＣＰＵ３１、フラッシュ回路５１及びＬＥＤ群４３を示した模式図である。
【００２６】
フラッシュ回路５１はフラッシュ７１と、メインコンデンサ（蓄電手段）７３と、昇圧部７５と、電圧検出部（蓄電状態検出手段）７７と、を有している。メインコンデンサ７３は、フラッシュ７１を発光させる電力を蓄電する。メインコンデンサ７３としては例えば電解コンデンサが用いられる。昇圧部７５は電池等からの電力を充電に必要な電圧に電圧変換してメインコンデンサ７３へ供給する。電圧検知部７７は端子７７ａでＣＰＵ３１に接続されており、ＣＰＵ３１は端子７７ａの電位を検出することによってメインコンデンサ７３の各時点における電圧（蓄電状態）を検出する。
【００２７】
ＬＥＤ群４３はＬＥＤ１７ａ、１７ｂ、１７ｃそれぞれを含む回路を有している。上記それぞれの回路は端子４３ａ、４３ｂ、４３ｃでそれぞれＣＰＵ３１に接続されている。ＣＰＵ３１は端子４３ａ、４３ｂ、４３ｃの電位を上下することによって、ＬＥＤ１７ａ、１７ｂ、１７ｃそれぞれを適宜点灯、消灯させる。
【００２８】
図５を参照し、フラッシュを用いた写真撮影を行う際の表示部１７の発光状態の制御の第１の例を説明する。図５は、ＣＰＵ３１が、検出した電圧に基づいて表示部１７の発光状態を表示する処理のフロー図である。まず、カメラの撮影モードがリモコン撮影モード又はセルフタイマ撮影モードに設定されていることが確認される（Ｓ１０２）。リモコン撮影モード又はセルフタイマ撮影モード以外のモードに設定されている場合には以下の処理は行われない。次に、ＬＥＤ１７ａ、１７ｂ、１７ｃが消灯する（Ｓ１０４）。異常充電タイマがスタートし（Ｓ１０６）、メインコンデンサ７３の充電が開始される（Ｓ１０８）。次に、電圧検出部７７によって検出されたメインコンデンサ７３の電圧Ｖが読み込まれる（Ｓ１１０）。
【００２９】
次に、Ｓ１１２〜Ｓ１２４においては、Ｓ１１０で読み込まれた電圧Ｖと、予め定められた所定の電圧Ｖ１、Ｖ２、Ｖ３（但し、Ｖ１＜Ｖ２＜Ｖ３）との大小比較が行われ、電圧Ｖが、電圧Ｖ＜電圧Ｖ１（以下「第０電圧レベル」という。）、電圧Ｖ１≦電圧Ｖ＜電圧Ｖ２（以下「第１電圧レベル」という。）、電圧Ｖ２≦電圧Ｖ＜電圧Ｖ３（以下「第２電圧レベル」という。）、電圧Ｖ３≦電圧Ｖ（以下「第３電圧レベル」という。）のうち何れの電圧レベルに相当するかを認識する。上記認識された蓄電状態に基づいてＬＥＤ１７ａ、１７ｂ、１７ｃがそれぞれ点灯又は消灯される。
【００３０】
まず、電圧Ｖと電圧Ｖ１との大小比較がなされ（Ｓ１１２）、電圧Ｖが電圧Ｖ１未満（第０電圧レベル）の場合にはＬＥＤ１７ａ、１７ｂ、１７ｃがすべて消灯され（Ｓ１１４）、異常充電タイマが所定の充電時間を超えていないことが確認され（Ｓ１２６）、Ｓ１１０の処理へ戻る。
【００３１】
Ｓ１１２において電圧Ｖが電圧Ｖ１以上の場合には電圧Ｖと電圧Ｖ２との大小比較がなされる（Ｓ１１６）。電圧Ｖが電圧Ｖ２未満（第１電圧レベル）の場合にはＬＥＤ１７ａ、１７ｂが消灯され、ＬＥＤ１７ｃが点灯され（Ｓ１１８）、異常充電タイマが所定の充電時間を超えていないことが確認され（Ｓ１２６）、Ｓ１１０の処理へ戻る。
【００３２】
Ｓ１１６において電圧Ｖが電圧Ｖ２以上の場合には電圧Ｖと電圧Ｖ３との大小比較がなされる（Ｓ１２０）。電圧Ｖが電圧Ｖ３未満（第２電圧レベル）の場合にはＬＥＤ１７ａが消灯され、ＬＥＤ１７ｂ、１７ｃが点灯され（Ｓ１２２）、異常充電タイマが所定の充電時間を超えていないことが確認され（Ｓ１２６）、Ｓ１１０の処理へ戻る。
【００３３】
Ｓ１２０において電圧Ｖが電圧Ｖ３以上の場合（第３電圧レベル）にはＬＥＤ１７ａ、１７ｂ、１７ｃがすべて点灯され（Ｓ１２４）、フラッシュ発光の電力が充分蓄電されたものとして充電が停止される（Ｓ１２８）。Ｓ１２６において異常充電タイマが所定の充電時間を超えていた場合にはメインコンデンサ７３の電圧レベルに関わらず充電が停止される（Ｓ１２６、Ｓ１２８）。
【００３４】
充電停止後は、状態が５００ｍｓ間維持された後（Ｓ１３０）、ＬＥＤ１７ａ、１７ｂ、１７ｃがすべて消灯され（Ｓ１３２）、処理を終了する。
【００３５】
図６の上段に、充電が開始してからの経過時間（横軸）とメインコンデンサ７３の電圧（縦軸）との関係のグラフを示している。同図の下段に、経過時間に対応したＬＥＤ１７ａ、１７ｂ、１７ｃの点灯・消灯のタイミングチャートを示している。以上の処理をまとめると、図６に示すように、メインコンデンサ７３の電圧Ｖが、第０電圧レベルの場合にはＬＥＤはすべて消灯し、第１電圧レベルの場合はＬＥＤ１７ｃのみ点灯し、第２電圧レベルの場合はＬＥＤ１７ｂ、１７ｃの２つが点灯し、第３電圧レベルの場合はＬＥＤがすべて点灯することとなる。よって、ＬＥＤ１７ａ、１７ｂ、１７ｃを有する表示部（表示手段）１７は、ＬＥＤ１７ａ、１７ｂ、１７ｃの点灯・消灯の組み合わせ（発光状態）によって各時点でのメインコンデンサ７３の電圧レベル（蓄電状態）を段階的に表示していることとなる。
【００３６】
図７を参照し、フラッシュを用いた写真撮影を行う際の表示部１７の発光状態の制御の第２の例を説明する。図７は、ＣＰＵ３１が、検出した電圧に基づいて表示部１７の発光状態を表示する処理のフロー図である。図５との相違点は、メインコンデンサ７３の各電圧レベルに対応した発光部１７の発光状態にある。図７のＳ２０２〜Ｓ２１０の処理は、図５のＳ１０２〜Ｓ１１０の処理と同様であるので説明を省略する。
【００３７】
Ｓ２１２〜Ｓ２２４においては、Ｓ２１０で読み込まれた電圧Ｖと、予め定められた所定の電圧Ｖ１、Ｖ２、Ｖ３（但し、Ｖ１＜Ｖ２＜Ｖ３）との大小比較が行われ、電圧Ｖが、電圧Ｖ＜電圧Ｖ１（第０電圧レベル）、電圧Ｖ１≦電圧Ｖ＜電圧Ｖ２（第１電圧レベル）、電圧Ｖ２≦電圧Ｖ＜電圧Ｖ３（２電圧レベル）、電圧Ｖ３≦電圧Ｖ（第３電圧レベル）のうち何れの電圧レベルに相当するかを認識する。上記認識された蓄電状態に基づいてＬＥＤ１７ａ、１７ｂ、１７ｃが、蓄電状態に応じた所定の周期で点滅される。
【００３８】
まず、電圧Ｖと電圧Ｖ１との大小比較がなされ（Ｓ２１２）、電圧Ｖが電圧Ｖ１未満（第０電圧レベル）の場合にはＬＥＤ１７ａ、１７ｂ、１７ｃがすべて消灯され（Ｓ２１４）、異常充電タイマが所定の充電時間を超えていないことが確認され（Ｓ２２６）、Ｓ２１０の処理へ戻る。
【００３９】
Ｓ２１２において電圧Ｖが電圧Ｖ１以上の場合には電圧Ｖと電圧Ｖ２との大小比較がなされる（Ｓ２１６）。電圧Ｖが電圧Ｖ２未満（第１電圧レベル）の場合にはＬＥＤ１７ａ、１７ｂ、１７ｃはすべてが位相を同じくして８Ｈｚの周期で点滅され（Ｓ２１８）、異常充電タイマが所定の充電時間を超えていないことが確認され（Ｓ２２６）、Ｓ２１０の処理へ戻る。
【００４０】
Ｓ２１６において電圧Ｖが電圧Ｖ２以上の場合には電圧Ｖと電圧Ｖ３との大小比較がなされる（Ｓ２２０）。電圧Ｖが電圧Ｖ３未満（第２電圧レベル）の場合にはＬＥＤ１７ａ、１７ｂ、１７ｃはすべてが位相を同じくして４Ｈｚの周期で点滅され（Ｓ２２２）、異常充電タイマが所定の充電時間を超えていないことが確認され（Ｓ２２６）、Ｓ２１０の処理へ戻る。
【００４１】
Ｓ２２０において電圧Ｖが電圧Ｖ３以上の場合（第３電圧レベル）にはＬＥＤ１７ａ、１７ｂ、１７ｃはすべてが位相を同じくして２Ｈｚの周期で点滅され（Ｓ２２４）、フラッシュ発光の電力が充分蓄電されたものとして充電が停止される（Ｓ２２８）。Ｓ２２６において異常充電タイマが所定の充電時間を超えていた場合にはメインコンデンサ７３の電圧レベルに関わらず充電が停止される（Ｓ２２６、Ｓ２２８）。
【００４２】
充電停止後は、状態が５００ｍｓ間維持された後（Ｓ２３０）、ＬＥＤ１７ａ、１７ｂ、１７ｃがすべて消灯され（Ｓ２３２）、処理を終了する。
【００４３】
図８の上段に、充電が開始してからの経過時間（横軸）とメインコンデンサ７３の電圧（縦軸）との関係のグラフを示している。同図の下段に、経過時間に対応したＬＥＤ１７ａ、１７ｂ、１７ｃの点灯・消灯のタイミングチャートを示している。上記の処理をまとめると、図８に示すように、メインコンデンサ７３の電圧Ｖが、第０電圧レベルの場合にはＬＥＤはすべて消灯し、第１電圧レベルの場合はＬＥＤ１７ａ、１７ｂ、１７ｃはすべて８Ｈｚで点滅し、第２電圧レベルの場合はすべて４Ｈｚで点滅し、第３電圧レベルの場合はすべて２Ｈｚで点滅することとなる。よって、ＬＥＤ１７ａ、１７ｂ、１７ｃを有する表示部（表示手段）１７は、ＬＥＤ１７ａ、１７ｂ、１７ｃの点滅の周期（発光状態）によって各時点でのメインコンデンサ７３の電圧レベル（蓄電状態）を段階的に表示していることとなる。
【００４４】
上記のように、表示部１７はメインコンデンサ７３の電圧レベルを表示するが、以下に説明するように、それ以外の別の動作状態を表示することにも用いられている。別の動作状態の表示としては、セルフタイマ撮影表示及びリモコン撮影表示が挙げられる。
【００４５】
セルフタイマ撮影表示について図９を参照し説明する。セルフタイマ撮影表示とは、撮影モード設定スイッチ２１（図１参照）の操作により、カメラの撮影モードがセルフタイマ撮影モードに設定された場合において、各時点の動作状態をユーザに知らせるための表示のことをいう。図９はセルフタイマ撮影モードに設定され、レリーズボタンが押された後の経過時間に対応したＬＥＤ１７ａ、１７ｂ、１７ｃの点灯・消灯のタイミングチャートである。
【００４６】
図９に示すとおり、セルフタイマ撮影モードにおいて、レリーズボタン押下後７秒間はＬＥＤ１７ａが点灯され、ＬＥＤ１７ｂ、１７ｃが消灯された状態が維持される。その後の３秒間、ＬＥＤ１７ａ、１７ｂ、１７ｃのすべてが４Ｈｚの周期で点滅する。その後カメラはレリーズ動作を行う。
【００４７】
上記のとおり、ＬＥＤ１７ａ、１７ｂ、１７ｃを有する表示部（表示手段）１７は、ＬＥＤ１７ａ、１７ｂ、１７ｃの発光状態によって、カメラの動作状態（レリーズ動作までの時間をカウントダウンしている状態や、各時点でのレリーズ動作が行われるまでの残り時間）を段階的に表示していることとなる。
【００４８】
リモコン撮影表示について図１０を参照し説明する。リモコン撮影表示とは、撮影モード設定スイッチ２１（図１参照）の操作により、カメラの撮影モードがリモコン撮影モードに設定された場合において、各時点の動作状態をユーザに知らせるための表示のことをいう。図１０はリモコン撮影モードに設定され、リモコン３のレリーズ信号を受信した後の経過時間に対応したＬＥＤ１７ａ、１７ｂ、１７ｃの点灯・消灯のタイミングチャートである。
【００４９】
図１０に示すとおり、リモコン撮影モードにおいて、リモコン３のレリーズ信号を受信した後の２秒間はＬＥＤ１７ａ、１７ｂ、１７ｃのすべてが８Ｈｚの周期で点滅する。その後レリーズ動作がなされ、ＬＥＤ１７ａ、１７ｂ、１７ｃのすべてが消灯した状態を維持する。
【００５０】
上記のとおり、ＬＥＤ１７ａ、１７ｂ、１７ｃを有する表示部（表示手段）１７は、ＬＥＤ１７ａ、１７ｂ、１７ｃの発光状態によって、カメラの動作状態（レリーズ信号を受信し、レリーズ待機中である状態）を表示していることとなる。
【００５１】
カメラ１によれば、表示部１７がカメラ１の正面に設置されており、被写体側の方向から見えるため、リモコン撮影又はセルフタイマ撮影時に撮影者が被写体側に位置する場合にも、その位置からメインコンデンサ７３の電圧レベルを確認することができる。このため、撮影者は一旦カメラ近傍まで近いて電圧レベルを確認する等の煩雑な作業をすることなく、電圧レベルに合わせて適切なカメラの操作が可能となる。
【００５２】
また、カメラ１によれば、セルフタイマ撮影表示機能と、リモコン撮影表示機能と、メインコンデンサ７３の電圧レベルの表示機能とを同一の表示部１７（ＬＥＤ１７ａ、１７ｂ、１７ｃ）が有しているので、機能の増加による部品点数の増加を最小限に抑えることができる。
【００５３】
なお、本発明は上記した実施形態に限定されることなく種々の変形が可能である。例えば、上記した実施形態では、表示部１７に、視認性を高くするため高輝度が得られるＬＥＤを用いているが、それ以外の発光装置（例えば豆電球等）、液晶パネル、ＥＬパネル等を用いてもよい。また、表示部１７は３つのＬＥＤを用いているが、発光装置の個数は限定されない。また、カメラ１ではメインコンデンサ７３の電圧レベルを第０〜第３電圧レベルの４段階で表示しているが、更に多段階又は少段階の電圧レベルを表示してもよく、２段階（例えば、メインコンデンサ７３の電圧がフラッシュ発光可能なレベルに達したか否かの２段階）で表示してもよい。
【００５４】
また、図５、図７に示した処理において、異常充電タイマが所定の充電時間を超えた場合（Ｓ１２６、Ｓ２２６）には、フラッシュ回路５１に何らかの異常があるものと判断し、異常に対応するための別の処理を行うこととしてもよい。
【００５５】
【発明の効果】
上述のとおり、本発明によれば、リモコン撮影又はセルフタイマ撮影時に撮影者の作業を軽減することができるカメラを提供することができる。
【図面の簡単な説明】
【図１】実施形態に係るカメラ及びカメラを遠隔操作するリモコンを示す正面の斜視図である。
【図２】実施形態に係るカメラ及びカメラを遠隔操作するリモコンを示す背面の斜視図である。
【図３】実施形態に係るカメラの構成を示すブロック図である。
【図４】実施形態に係るカメラのＣＰＵ、フラッシュ回路、及びＬＥＤ群を示した模式図である。
【図５】実施形態に係るカメラの表示部の表示処理を示すフロー図である。
【図６】充電時間（横軸）とメインコンデンサの電圧（縦軸）との関係のグラフ及びＬＥＤの点灯・消灯のタイミングチャートを示している。
【図７】実施形態に係るカメラの表示部の表示処理を示すフロー図である。
【図８】充電時間（横軸）とメインコンデンサの電圧（縦軸）との関係のグラフ及びＬＥＤの点灯・消灯のタイミングチャートである。
【図９】セルフタイマ撮影モードにおけるＬＥＤの点灯・消灯のタイミングチャートである。
【図１０】リモコン撮影モードにおけるＬＥＤの点灯・消灯のタイミングチャートである。
【符号の説明】
１…カメラ、３…リモコン、１７…表示部、１７ａ、１７ｂ、１７ｃ…ＬＥＤ、７１…フラッシュ、７３…メインコンデンサ、７７…電圧検出部。
【図１】
2004333773.tif 000003
【図２】
2004333773.tif 000004
【図３】
2004333773.tif 000005
【図４】
2004333773.tif 000006
【図５】
2004333773.tif 000007
【図６】
2004333773.tif 000008
【図７】
2004333773.tif 000009
【図８】
2004333773.tif 000010
【図９】
2004333773.tif 000011
【図１０】
2004333773.tif 000012